(57)【要約】      （修正有）【課題】ティーによる身体への怪我の発生を防ぐことができるとともに、スイング時における違和感がなく、さらに利便性やファッション性をも兼ね備えたゴルフのティーホルダーを提供する。【解決手段】基材１１と、基材１１に装着されたティー保持具１２とで構成されているティーホルダー具１０と、ティーホルダー具を被装着物に着脱自在に装着する連結具２０と、を備える。基材１１は、磁石体または被磁着体とし、該基材１１に着脱自在の、磁石体または被磁着体からなるホルダー具を設けることができる。さらにティーホルダー具１０に装飾品を設けることができる。【選択図】図１
0003171188.tif 000002
【実用新案登録請求の範囲】
【請求項１】
基材と、該基材に装着されたティー保持具とで構成されているティーホルダー具と、該ティーホルダー具を被装着物に着脱自在に装着する連結具と、を備えることを特徴とするゴルフのティーホルダー。
【請求項２】
前記基材が磁石部または被磁着部からなり、該基材に着脱自在の、磁石部または被磁着部からなるホルダー具を有する請求項１記載のゴルフのティーホルダー。
【請求項３】
前記ホルダー具が、グリーンマーカーを保持するマーカーホルダーである請求項２記載のゴルフのティーホルダー。
【請求項４】
前記連結具が、該連結具と着脱自在の、磁石部または被磁着部からなるホルダー具を有する請求項１記載のゴルフのティーホルダー。
【請求項５】
前記ティーホルダー具が装飾品を有する請求項１乃至４のうちいずれか１項に記載のゴルフのティーホルダー。
【請求項６】
前記被装着物が、ゴルフプレーの際に使用する帽子、ウェアー、ズボン、手袋、靴またはバッグである請求項１〜５のうちいずれか一項記載のゴルフのティーホルダー。
【考案の詳細な説明】
【技術分野】
【０００１】
本考案は、ゴルフに使用されるティーを保持するティーホルダーに関し、特に、ティーによる身体への怪我の発生を防ぐことができるとともに、スイング時における違和感がなく、さらに利便性やファッション性をも兼ね備えたゴルフのティーホルダーに関する。
【背景技術】
【０００２】
ゴルフのプレーにおいて、通常、ロングホールの第一打はロングティーの上に載せたボールを打つティーショットが行われる。また、ショートホールの第１打においては、通常、ショートティーを使ったショットが行われる。これらティーショットに使用されるティーは、上部に形成されたボールを載せる逆円錐状の台と、地面に刺す杭とからなる。
【０００３】
一般的なティーは、約１０ｃｍ程の長さからなり、木やプラスチック等の素材で形成されている。通常、ティーはショットの際にクラブと接触して折れたり紛失したりすることが多々ある。そのため、複数本のティーをズボンやシャツのポケットの中に入れてプレーをするのが一般的である。
【０００４】
しかしながら、複数本のティーをポケットに入れてプレーすると、スイングのときに違和感が生じる。また、歩行中やプレーの際に転倒したりした場合、ポケット内のティーにより身体を傷付けるというトラブルも発生しかねない。
【０００５】
そのため、ゴルフティーを携帯する用具として、ゴルフティーを容易に差し込んで携帯するか抜き取るようにし、製造を容易にかつ安価にし、しかもゴルフティーの携帯によるトラブルを回避し得るゴルフティー携帯用ゴルフ手袋が提案されている（例えば特許文献１参照）。
【０００６】
上掲特許文献１に記載されたゴルフティー携帯用ゴルフ手袋は、切開された手袋の手首部位を締結するために一側に接着面を形成し、他側に締結片を形成した通常のゴルフ用手袋において、前記締結片上に、上部が一側に傾き複数の挿入穴を有するゴルフティー受納具を備えている。
【先行技術文献】
【特許文献】
【０００７】
【特許文献１】実用新案登録第３０３３０００号公報（実用新案登録請求の範囲等）
【考案の概要】
【考案が解決しようとする課題】
【０００８】
しかしながら、上掲特許文献１に記載されたゴルフティー携帯用ゴルフ手袋は、手袋の甲部分にゴルフティー受納具を備えるため、スイングの際に受納具が手首や手の甲部分に接触し、違和感の解消という点では必ずしも十分なものではなかった。よって、その違和感により、スコアーメイクに悪影響を与えかねないという問題を依然として有していた。ゴルフティー携帯用具は、他にも種々のものが知られているが、上述の課題をすべて解決し得るものは存在し得ないのが現状である。
【０００９】
そこで本考案の目的は、ティーによる身体への怪我の発生を防ぐことができるとともに、スイング時における違和感がなく、さらに利便性やファッション性をも兼ね備えたゴルフのティーホルダーを提供することにある。
【課題を解決するための手段】
【００１０】
上記課題を解決するために、本考案のゴルフのティーホルダーは、基材と、該基材に装着されたティー保持具とで構成されているティーホルダー具と、該ティーホルダー具を被装着物に着脱自在に装着する連結具と、を備えることを特徴とする。
【００１１】
本考案のゴルフのティーホルダーにおいては、前記基材が磁石部または被磁着部からなり、該基材に着脱自在の、磁石部または被磁着部からなるホルダー具を有するものとすることができる。
【００１２】
また、前記ホルダー具は、グリーンマーカーを保持するマーカーホルダーとすることができる。
【００１３】
さらに、前記連結具が、該連結具と着脱自在の、磁石部または被磁着部からなるホルダー具を有するものとすることができる。
【００１４】
さらにまた、前記ティーホルダー具が装飾を施されたものとすることができる。
【００１５】
さらにまた、前記被装着物は、好適には、ゴルフプレーの際に使用する帽子、ウェアー、ズボン、手袋、靴またはバッグである。
【考案の効果】
【００１６】
本考案のゴルフのティーホルダーによれば、スイング時の違和感がなく、また、ティーによるプレー中の怪我の心配もない。
【００１７】
さらに、ティーホルダー具に装飾を施すことにより、外観面におけるファッション性を向上させることができる。
【図面の簡単な説明】
【００１８】
【図１】本考案の一好適例であるゴルフのティーホルダーの斜視図である。
【図２】図１に示すティーホルダーの背面を示す斜視図である。
【図３】本考案の他の好適例であるティーホルダーの斜視図である。
【図４】図３に示すティーホルダー具の正面図である。
【図５】図３に示すティーホルダー具の背面図である。
【図６】連結具にホルダー具を装着したティーホルダー具の斜視図である。
【図７】装飾品を装着したティーホルダー具の正面図である。
【図８】装飾品を装着したティーホルダー具の背面図である。
【図９】ティーホルダー具を帽子のつば部に装着した使用例を示す斜視図である。
【図１０】ティーホルダー具を帽子のクラウン部に装着した使用例を示す斜視図である。
【考案を実施するための形態】
【００１９】
以下、本考案におけるゴルフのティーホルダーの一実施の形態を図面に基づいて説明する。
【００２０】
図１及び図２に示す本考案の一好適例であるティーホルダー１は、基材１１と、基材１１に装着されたティー保持具１２とで構成されるティーホルダー具１０と、ティーホルダー具１０を被装着物に着脱自在に装着する連結具２０とを備えている。
【００２１】
ティーホルダー具１０の基材１１は、金属や樹脂等のさまざまな素材とすることができ、形状も適宜設定することができる。また、基材１１の一側面には、ティー保持具１２が装着されている。
【００２２】
ティー保持具１２は、一対のテーパ状の筒状体１３からなり、筒状体１４の開孔部１４にティー１５を挿脱自在に収容することができる。図示するティー保持具１２には、基材１１に２個の筒状体１３が装着されているが、１個でも、あるいは３個以上でもよい。
【００２３】
ティー１５は、如何なる素材や形状のものでもよいが、図示するティー１５は、上部にゴルフボールを載置する広口の載置部を有するショートティー１６とロングティー１７の２タイプである。図示例のロングティー１７には高さ調節具１８が具備されている。ティー１５として、載置部と差込部との硬度が異なり、載置部が柔軟な材料で形成されたティー（実用新案登録第３１６４０７４号公報記載のティー）を使用することにより、プレー中のティーの紛失や損傷を防ぐことができ、本考案のティーホルダーの使用がより有効なものとなる。
【００２４】
連結具２０は、ティーホルダー具１０を被装着物に着脱自在に装着するもので、基材１１の他の側面に装着されている。連結具２０は、ティーホルダー具１０を被装着物に対して着脱自在に装着できる、例えば、市販の安全ピン等が好適に使用される。なお、連結具２０は図示する安全ピンタイプのものに限らず、鉤状に形成されたものや面ファスナーの雄部等の、被装着物に着脱自在に装着できるものであれば如何なる構造のものでもよい。
【００２５】
連結具２０を備えることで、ティーホルダー具１０を被装着物のいかなる箇所にも装着することができる。また、安全ピンタイプの連結具２０を装着することで、被装着物を洗濯する際に予めティーホルダー具１０を取り外しておくことができる。
【００２６】
本考案の他の好適例のゴルフのティーホルダーは、図３乃至図５に示すように、磁石体または被磁着体からなる基材１１と、かかる基材１１に装着されたティー保持具１２で構成されるティーホルダー具１０と、磁石体または被磁着体からなるホルダー具２１とで形成することができる。
【００２７】
例えば、ホルダー具２１を鉄等の被磁着体で形成した場合、基材１１を磁石体で形成し、また、ホルダー具２１を磁石体で形成した場合には、基材１１を鉄等の被磁着体で形成する。基材１１には、保持板１１′を介在させてティー保持具１２が装着されている。
【００２８】
この場合、ホルダー具２１の形状や大きさは特に限定されるものではないが、例えば、図３に示すように、グリーンマーカーを保持するマーカーホルダーとすることができる。マーカーホルダー２２は、金属の本体部２３とクリップ２４とから構成することにより、本体部２３は、図９に示すように磁気を有するマーカー２５を磁着することができる。
【００２９】
上述のように、ホルダー具２１をマーカーホルダーとすることで、本考案のティーホルダー具１０を装着するとともに、プレー中に必要とするマーカー２５も同時に装着することができ、高い利便性が得られる。
【００３０】
また、他の好適例として、図６に示すように、連結具２０に、磁石部または被磁着部からなるホルダー具２６を装着してもよい。連結具２０にホルダー具２６を備えることにより、磁石体または被磁着体からなるティーホルダー具１０を着脱自在に装着することができる。なお、ホルダー具２６の大きさや形状は特に限定されるものではく、方形状、円状、楕円形状、多角形状等さまざまな形状にて形成することができる。
【００３１】
また、さらに他の好適例として、図７及び図８に示すように、ティーホルダー具１０に装飾品３０を装着してもよい。装飾品３０は基材１１に装着されており、かかる基材１１には連結具２０が装着されている。装飾品３０は如何なるデザインや素材のものでもよく、アニメキャラクターや植物、また動物等のデザイン、さらには、文字や数字等のさまざまなデザインの装飾品を用いることができる。ティーホルダー具１０の基材１１に磁石を備えてもよい。
【００３２】
被装着物は、ゴルフプレーの際に使用する帽子、ウェアー、ズボン、手袋、靴、バッグ等である。ティーホルダー具１０を上述の被装着物に装着することで、ゴルフプレーの際にティーを紛失または破損した場合でも、容易に、且つ迅速にティーを用意することができる。また、初心者においては、ティーの紛失頻度が多くなるため、複数のティーホルダー具１０を被装着物に装着してもよい。
【００３３】
次に、本考案におけるゴルフのティーホルダーの使用方法を説明する。
【００３４】
使用方法の一例として、図９においては、本考案のティーホルダー１を被装着物Ａである帽子４０に取り付けた状態を示す。帽子４０に取り付ける際、ティーホルダー具１０は、帽子４０のつば部４１に取り付けることが好ましい。通常、ゴルフをプレーするには、頭部につば付きの帽子を被る。図示するように、マーカーホルダーからなるホルダー具２１を帽子４０のつば部４１に装着し、かかるホルダー具２１にティーホルダー具１０を装着することで、スイングの際の違和感がなく、ティーにより身体を傷付けることもない。また、ティーを紛失したり破損したりした場合でも、速やかに新しいティーを用意することができる。さらに、マーカーホルダーからなるホルダー具２１を使用することで、マーカー２５も同時に装着することができる。
【００３５】
なお、図９においては、帽子４０のつば部４１の側面にティーホルダー具１０が装着されているが、つば部４１の先部に装着してもよい。また、初心者においては、ティーの紛失が多くなるので、複数のティーホルダー具１０を装着してもよい。
【００３６】
さらに、ティーホルダー具１０は、図１０に示すように、帽子４０のクラウン部４２に取り付けてもよい。ティーホルダー具１０を帽子４０のクラウン部４２に取り付けるには、図１に示す安全ピンからなる連結具２０を用いることが好ましい。これにより、図示するクラウン部４２の側面に限定されず、クラウン４２のトップ、または背部等の任意の箇所に自在に装着することができる。
【符号の説明】
【００３７】
１  ティーホルダー
１０  ティーホルダー具
１１  基材
１２  ティー保持具
１３  筒状体
１４  開孔部
１５  ティー
１６  ショートティー
１７  ロングティー
１８  高さ調節具
２０  連結具
２１  ホルダー具
２２  マーカーホルダー
２３  本体部
２４  クリップ
２５  マーカー
２６  ホルダー具
３０  装飾品
３１  磁石体
４０  帽子
４１  つば部
４２  クラウン部
【図１】
0003171188.tif 000003
【図２】
0003171188.tif 000004
【図３】
0003171188.tif 000005
【図４】
0003171188.tif 000006
【図５】
0003171188.tif 000007
【図６】
0003171188.tif 000008
【図７】
0003171188.tif 000009
【図８】
0003171188.tif 000010
【図９】
0003171188.tif 000011
【図１０】
0003171188.tif 000012